(57)【要約】      （修正有）【課題】内部の居住面積も広く、また、地震により発生する津波等の非難場所として最適であり、簡単、かつ安価に構築でき、しかも堅牢なシェルターを提供する。【解決手段】プレキャスト・プレストレストコンクリートを素材とし、全体の形状が船底を逆にした形状の低層系の建屋本体１を設けるに際し、該建屋本体１の基礎部を、地面を掘り下げ、高強度鉄筋コンクリートを素材とするべた基礎２を設け、該べた基礎２上に、複数個の免震装置３を介して、適宜の大きさに仕切られる格子状の枠体４ａを形成し、これら各枠体４ａによって仕切られた溝４ｂ内に、埋戻土Ｘを充填した基礎スラブ４を設け、該基礎スラブ４上に前記建屋本体１を設ける免震構造とした。【選択図】図３
0003178495.tif 000002
【実用新案登録請求の範囲】
【請求項１】
プレキャスト・プレストレストコンクリートを素材と、全体の形状が船底を逆にした形状の低層系の建屋本体（１）を設け、  該建屋本体（１）の基礎部には、地面を掘り下げ、高強度鉄筋コンクリートを素材とするべた基礎（２）を設け、該べた基礎（２）上に、複数個の免振装置（３）を介して、基礎スラブ（４）を形成し、該基礎スラブ（４）は、適宜の大きさに仕切られる格子状の枠体（４ａ）を形成し、これら各枠体（４ａ）によって仕切られた溝（４ｂ）内には、埋戻土（Ｘ）を充填して設け、前記基礎スラブ（４）上に、前記建屋本体（１）の一階スラブ（１ａ）と免震構造としたことを特徴とするシェルター。
【考案の詳細な説明】
【技術分野】
【０００１】
この考案は、シェルターに関するものであり、津波や台風による自然災害発生時には、災害からから生命および財産を保護する津波用のシェルターである。
【背景技術】
【０００２】
従来、シェルターには、屋外で発生する放射能から身を守るもの、竜巻等の風害から身を守るものや、屋内で発生し、屋内の一部屋を避難シェルターとして、強盗から生命や財産を守るものと種々が存在している。
【０００３】
しかしながら、自然災害のうち、地震発生後に発生する，最も強烈な津波からも生命はもちろん、財産も守ることが必要である。
【０００４】
そのために、津波から身を守る津波避難用シェルターは存在した。例えば、特許文献１のように。
【先行技術文献】
【特許文献】
【０００５】
【特許文献１】登録実用新案第３１７３９９８号公報
【０００６】
しかしながら、この技術内容は、極めて少人数用の津波避難用シェルターであり、大人数では全員避難し救助できる規模の施設ではなかった。
【０００７】
そこで、比較的多人数のものが、瞬時に避難することが可能であり、内部の居住面積も広く、効率的であるシェルターを開発する必要がある。
【考案の開示】
【考案が解決しようとする課題】
【０００８】
そこで、上記課題を解決する為に、この考案は、内部の居住面積も広く、また、地震により発生する津波等の非難場所として最適であり、簡単、かつ安価に構築でき、しかも堅牢なシェルターを開発・提供する事にある。
【課題を解決するための手段】
【０００９】
課題を解決するための手段として、本考案は、建屋本体をプレキャスト・プレストレストコンクリートで構成し、建屋本体の形状は船底を逆にした構造であり、壁面は、津波に対して乗り超えてしまうシェルターを開発・提供するものである。
【考案の効果】
【００１０】
この考案によると、建屋本体（１）の全体の形状が、船底を逆にした形状とし、さらに低層であるため、地震により発生し、打ち寄せる津波も、建屋本体の屋上部を越流してしまう構造としたため、津波の水圧から建屋本体の破壊を防止することができ、人命や財産を守ることができる。
【００１１】
また、建屋本体（１）は、プレキャスト・プレストレストコンクリート構造とし、べた基礎（２）並びに基礎スラブ（４）は、高強度鉄筋コンクリートで構成され、且つ、免震構造としたものであり、堅牢で、且つ、安価である等の極めて有益なる効果を奏する。
【図面の簡単な説明】
【００１２】
【図１】この考案の一実施例を示す正面図である。
【図２】この考案の一実施例を示す平面図である。
【図３】図２中ａ−ａ断面を示す縦断面図である。
【図４】図２中ｂ−ｂ断面を示す横断面図である。
【考案を実施するための最良の形態】
【００１３】
以下、この考案について詳細に説明する。尚、この考案においては、以下の記述に限定されるものではなく、この考案の要旨を逸脱しない範囲においては適宜変更可能である。
【実施例１】
【００１４】
そこで、この考案の一実施例を図１〜図４に基づいて詳述すると、プレキャスト・プレストレストコンクリートを素材と、全体の形状が船底を逆にした形状の低層系の建屋本体（１）を設け、  該建屋本体（１）の基礎部には、地面を掘り下げ、高強度鉄筋コンクリートを素材とするべた基礎（２）を設け、該べた基礎（２）上に、複数個の免震装置（３）を介して、基礎スラブ（４）を形成し、該基礎スラブ（４）は、適宜の大きさに仕切られる格子状の枠体（４ａ）を形成し、これら各枠体（４ａ）によって仕切られた溝（４ｂ）内には、埋戻土（Ｘ）を充填して設け、前記建屋本体（１）は免震構造としたシェルターから構成されるものである。
【００１５】
また、免震装置（３）は、図面においては、合計５０個設けたものを掲載しているが、この数に制限されることはない。
【００１６】
さらに、べた基礎（２）と、建屋本体（１）の間には、高強度鉄筋コンクリートを用いて格子状の枠体（４ａ）を形成し、さらに、基礎スラブ（４）の溝（４ｂ）には、それぞれ埋戻土（Ｘ）が充填され、重力を有し、建屋本体（１）の錘としての機能を有し、建屋本体（１）の補強となるよう構成してもよいものである。
【００１７】
さらに、建屋本体（１）を軟弱地盤の上に構築する場合には、基礎スラブ（４）と免震装置（３）を介して位置するべた基礎（２）は、岩盤層まで打ち込んだ複数本の杭（Ｙ）の打ち込み構築することも可能である。
【００１８】
また、建屋本体（１）は、図面に示すように２階建ての低層系の建築物を示しており、該建屋本体（１）の長辺部の壁面には、一階部分には開口扉（５）を複数形成しており、また、２階部分の壁には、窓（６）を形成し、これら、開口扉（５）及び窓（６）には、水密機能及び耐圧性を備えた構成とするものであり、これにより建屋本体（１）内への水の浸入を防止するよう構成している。
【００１９】
さらに、建屋本体（１）の内部において、複数の開口扉（５）を有する一階の通路（７）部分と、避難用居室（８）とは、壁面（９）で遮断しており、避難用居室（８）へ浸入する水を防止しており、出入りは二階への階段（10）と通ずるよう構成したものである。
【産業上の利用可能性】
【００２０】
この考案のシェルターの技術を確立し、この技術をもとに製造・販売することにより産業上の利用可能性を有する。
【符号の説明】
【００２１】
１  低層系の建屋本体
１ａ  一階スラブ
２  べた基礎
２ｃ  側壁面
３  免震装置
４  基礎スラブ
４ａ  格子状の枠体
４ｂ  溝
５  開口扉
６  窓
７  一階の通路
８  避難用居室
９  壁面
10  階段
Ｘ  埋戻土
Ｙ  杭
【図１】
0003178495.tif 000003
【図２】
0003178495.tif 000004
【図３】
0003178495.tif 000005
【図４】
0003178495.tif 000006
【手続補正書】
【提出日】平成24年7月18日(2012.7.18)
【手続補正１】
【補正対象書類名】実用新案登録請求の範囲
【補正対象項目名】全文
【補正方法】変更
【補正の内容】
【実用新案登録請求の範囲】
【請求項１】
プレキャスト・プレストレストコンクリートを素材とし、全体の形状が船底を逆にした形状の低層系の建屋本体（１）を設けるに際し、該建屋本体（１）の基礎部を、地面を掘り下げ、高強度鉄筋コンクリートを素材とするべた基礎（２）を設け、該べた基礎（２）上に、複数個の免震装置（３）を介して、適宜の大きさに仕切られる格子状の枠体（４ａ）を形成し、これら各枠体（４ａ）によって仕切られた溝（４ｂ）内に、埋戻土（Ｘ）を充填した基礎スラブ（４）を設け、該基礎スラブ（４）上に前記建屋本体（１）を設けて免震構造としたことを特徴とするシェルター。